(57)【特許請求の範囲】
【請求項１】
筺体と、前記筺体の背面側に配設され前記筺体の左右面に架設した後部支持材と、前記筺体上面部に配設された天板と、前記筺体内に揺動自在に防振支持された水槽と、有底円筒状に形成され前記水槽に内包された回転ドラムと、前記回転ドラムを回転駆動するモータと、前記天板内方に配設され洗濯物を乾燥させるヒートポンプ装置と、前記天板内方に配設され乾燥用空気を循環させる送風用ファンモータと、前記天板内方に配設され、前記モータ等を制御して洗い、すすぎ、脱水、乾燥等の各行程を制御する制御装置とを備え、一端側に送風用ファンモータ側開口部を形成し他端側に筺体側開口部を形成した導風板を、前記ヒートポンプ装置の圧縮機の外周面近傍に設け、前記導風板は機外への排気口である前記後部支持材に設けた支持材開口部と近接し、前記導風板の左右方向に開放する空間部を形成するとともに、前記導風板と前記送風用ファンモータの間であって前記送風用ファンモータ側開口部近傍に冷却ファンを配設し、前記冷却ファンを作動させることにより、前記冷却ファンから前記送風用ファンモータ側開口部、前記空間部、前記筺体側開口部、前記筺体側開口部と対向して前記後部支持材に設けた支持材開口部へと空気を導き、前記冷却ファンから本体内に拡散させることなく排出する構成としたドラム式洗濯乾燥機。
【請求項２】
導風板は、略中央部に、圧縮機と当接して断面略円弧上の中央リブを形成し、前記中央リブの下面部に下面切欠き部を形成した請求項１記載のドラム式洗濯乾燥機。
【発明の詳細な説明】
【技術分野】
【０００１】
本発明は、略水平方向または傾斜方向の回転軸を中心に回転自在に配設した回転ドラム内で洗濯物を洗い、すすぎ、脱水、乾燥するドラム式洗濯乾燥機に関するものである。
【背景技術】
【０００２】
従来、この種のドラム式洗濯乾燥機は、乾燥方式としてヒートポンプ装置を備え、ヒートポンプ乾燥方式で洗濯物を乾燥させるものが用いられている（例えば、特許文献１参照）。
【０００３】
図５は、特許文献１に記載された従来のヒートポンプ乾燥方式のドラム式洗濯乾燥機の概略構成を示す縦断面図である。
【０００４】
図５において、外槽１は、筺体２の内部で複数のサスペンション機構３により弾性的に支持されている。ドラム４は、正面側に洗濯物５を出し入れする投入口６を有し、有底筒状に構成され、外槽１内に配設されている。また、外槽１底部の外部にはモータ１０を設けて、ドラム４を正逆回転させるようになっている。筺体２内で、外槽１の上部には、前方から順に、排気口２１とヒートポンプ装置外郭２２を連結している伸縮自在な吸熱器側連結部材２３と、ヒートポンプ装置４０を構成する熱交換器からなる吸熱器２４と放熱器２５と、ヒートポンプ装置外郭２２と送風機１７を連結している伸縮自在な放熱器側連結部材２６を配設している。この送風機１７は、送風ファンモータと送風ファンからなり、また、吸熱器２４と放熱器２５は、ヒートポンプユニットを構成する圧縮機２９と合わせてユニット化されている。
【０００５】
そして、送風機１７で送風される乾燥用空気は、吸気ダクト１８を通り給気口２０からドラム４内に入り、ドラム４内の洗濯物５を通過した後、排気口２１から出て、排気口２１から吸熱器側連結部材２３を介して、ヒートポンプ装置外郭２２の内部に配設された吸熱器２４、放熱器２５の順に通過し、放熱器側連結部材２６を経て、送風機１７へ戻る循環風路を形成している。
【０００６】
つまり、特許文献１は、筺体内の水槽上部に、複雑なヒートポンプ装置を配置することにより、ヒートポンプ装置の修理メンテナンスを容易に行なおうとするものである。
【先行技術文献】
【特許文献】
【０００７】
【特許文献１】特開２０１０−０００１０６号公報
【発明の概要】
【発明が解決しようとする課題】
【０００８】
しかしながら、前記従来の構成では、筺体内においてはモータや送風ファンモータ、あるいは圧縮機の作動により温度上昇が起きて熱が発生し、その熱は上部の空間部へ籠もってしまう。そして、その熱により送風ファンモータや圧縮機はさらに温度上昇して、ついには機能を低下させ、機能が十分に発揮できなくなるという課題があった。
【０００９】
本発明は、前記従来の課題を解決するもので、送風ファンモータや圧縮機などの温度上昇を抑えて、所定の機能を発揮させることを目的とする。
【課題を解決するための手段】
【００１０】
前記従来の課題を解決するために、本発明のドラム式洗濯乾燥機は、筺体と、前記筺体の背面側に配設され前記筺体の左右面に架設した後部支持材と、前記筺体上面部に配設された天板と、前記筺体内に揺動自在に防振支持された水槽と、有底円筒状に形成され前記水槽に内包された回転ドラムと、前記回転ドラムを回転駆動するモータと、前記天板内方に配設され洗濯物を乾燥させるヒートポンプ装置と、前記天板内方に配設され乾燥用空気を循環させる送風用ファンモータと、前記天板内方に配設され、前記モータ等を制御して洗い、すすぎ、脱水、乾燥等の各行程を制御する制御装置とを備え、一端側に送風用ファンモータ側開口部を形成し他端側に筺体側開口部を形成した導風板を、前記ヒートポンプ装置の圧縮機の外周面近傍に設け、前記導風板の左右方向に開放する空間部を形成するとともに、前記導風板と前記送風用ファンモータの間であって前記送風用ファンモータ側開口部近傍に冷却ファンを配設し、前記冷却ファンを作動させることにより、前記冷却ファンから前記送風用ファンモータ側開口部、前記空間部、前記筺体側開口部、前記筺体側開口部と対向して前記後部支持材に設けた支持材開口部へと空気を導く構成としたものである。これによって、天板内方に配設した送風用ファンモータや圧縮機に接触しながら外方まで流れる空気の流れが発生するため、これらの電装部品を冷却して温度上昇を抑制することができ、温度上昇による機能低下を防止して、その機能を十分に発揮させることができる。
【発明の効果】
【００１１】
本発明のドラム式洗濯乾燥機は、ヒートポンプ装置や送風ファンモータなどを上部内方に配置し、冷却ファンと導風板により上部に空気の流れを作り、ヒートポンプ装置や送風ファンモータなどを冷却することにより、温度上昇による機能低下を防止し、所定の機能を発揮させることができる。
【図面の簡単な説明】
【００１２】
【図１】本発明の実施の形態におけるドラム式洗濯乾燥機の概略構成を示す縦断面図
【図２】同ドラム式洗濯乾燥機の上面要部斜視図
【図３】同ドラム式洗濯乾燥機の要部上面図
【図４】同ドラム式洗濯乾燥機の導風板の概略構成を示す説明図
【図５】従来のドラム式洗濯乾燥機の縦断面図
【発明を実施するための形態】
【００１３】
第１の発明は、筺体と、前記筺体の背面側に配設され前記筺体の左右面に架設した後部支持材と、前記筺体上面部に配設された天板と、前記筺体内に揺動自在に防振支持された水槽と、有底円筒状に形成され前記水槽に内包された回転ドラムと、前記回転ドラムを回転駆動するモータと、前記天板内方に配設され洗濯物を乾燥させるヒートポンプ装置と、前記天板内方に配設され乾燥用空気を循環させる送風用ファンモータと、前記天板内方に配設され、前記モータ等を制御して洗い、すすぎ、脱水、乾燥等の各行程を制御する制御装置とを備え、一端側に送風用ファンモータ側開口部を形成し他端側に筺体側開口部を形成した導風板を、前記ヒートポンプ装置の圧縮機の外周面近傍に設け、前記導風板の左右方向に開放する空間部を形成するとともに、前記導風板と前記送風用ファンモータの間であって前記送風用ファンモータ側開口部近傍に冷却ファンを配設し、前記冷却ファンを作動させることにより、前記冷却ファンから前記送風用ファンモータ側開口部、前記空間部、前記筺体側開口部、前記筺体側開口部と対向して前記後部支持材に設けた支持材開口部へと空気を導く構成としたものであり、これによって、天板内方に配設した送風用ファンモータや圧縮機に接触しながら外方まで流れる空気の流れが発生するため、これらの電装部品を冷却して温度上昇を抑制することができ、温度上昇による機能低下を防止して、その機能を十分に発揮させることができる。
【００１４】
第２の発明は、特に第１の発明の導風板は、略中央部に、圧縮機と当接して断面略円弧上の中央リブを形成し、前記中央リブの下面部に下面切欠き部を形成したことにより、外方から支持材開口部を通って内部に侵入してきた水を中央リブで止めて下面へ落下させ、電装部品などへの影響を防止することができる。
【００１５】
以下、本発明の実施の形態について、図面を参照しながら説明する。なお、この実施の形態によって本発明が限定されるものではない。
【００１６】
（実施の形態１）
図１は、本発明の実施の形態におけるドラム式洗濯乾燥機の概略構成を示す縦断面図であり、図２は上面要部斜視図である。
【００１７】
図１、図２において、回転ドラム４１は、有底円筒形に形成され、外周部に多数の通水孔４２が全面に設けられ、筺体４３内に揺動自在に支持された水槽４４内に回転自在に配設されている。
【００１８】
回転ドラム４１の回転中心に傾斜方向に回転軸（回転中心軸）４５が設けられ、回転ドラム４１の軸心方向は正面側から背面側に向けて下向きに傾斜させている。この回転軸４５に、大プーリ４６、ベルト４７、小プーリ４８を介して、水槽４４の背面側近傍に取り付けたモータ４９を連結し、回転ドラム４１を正転、逆転方向に回転駆動する。回転ドラム４１の傾斜角度は  たとえば１０度とする。
【００１９】
また、回転ドラム４１の内壁面には衣類撹拌用の複数個の突起板５０を設けており、回転ドラム４１を低速で回転させることにより、衣類を突起板で引っ掛けて上方に持ち上げた後、適当な高さで落下させるといった撹拌動作（タンブリング動作）を与えることにより、衣類の撹拌たたき洗い、および乾燥動作などを行なう。
【００２０】
上記の、回転ドラム４１、水槽４４、モータ４９等により、振動系の水槽ユニット５１が構成されている。
【００２１】
水槽４４の正面側で筺体４３の上向き傾斜面に設けた開口部を、扉体５２により開閉自在に覆い、この扉体５２を開くことにより、衣類出入口５３を通して回転ドラム４１内に洗濯物を出し入れできるようにしている。
【００２２】
また、水槽ユニット５１は、筺体４３下方の防振部材５４および上方のばね体５５により揺動自在に防振支持され、水槽４４の下部には排水経路５６の一端を接続し、排水経路５６の他端を排水弁（排水手段）５７に接続して、水槽４４内の洗濯水を外部に排水するようにしている。
【００２３】
給水弁（給水手段）５８は、２個以上の水路が開閉可能な複数弁構成であり、給水経路５９を介して水槽４４内に水を給水したりするものである。
【００２４】
また、筺体４３の前面上部には、使用者が洗濯コースを選択したりする操作パネル部６０が配設され、その操作パネル部６０から入力して行い、入力設定表示装置６１がその入力情報を基に操作パネル部６０上の表示手段（図示せず）で表示して使用者に知らせる。
【００２５】
また、筺体４３の上面部には、筺体４３を覆う天板６２が配設されており、その内方に、制御装置６３が配設されている。制御装置６３は、操作パネル部６０での入力設定手段（図示せず）により運転開始が設定されると、水槽４４内の水位を検知する水位検知手段（図示せず）等からのデータを入力して、モータ４９、排水弁５７、給水弁５８などの動作を制御し、洗い、すすぎ、脱水、乾燥行程などの各行程を制御する。
【００２６】
衣類を乾燥させるために、水槽４４および回転ドラム４１内の空気を送風部６４によって循環させる構成となっているが、回転ドラム４１内の洗濯物から水分を奪って多湿状態となった空気は、水槽４４の側面上部に設けられた排出口６５を通って、回転ドラム４１の外のフィルター部７６を介して、ヒートポンプ装置６６部へと排出される。なお、このフィルター部７６は、回転ドラム４１内を通過する空気に混入している糸屑、埃、花粉などの異物を捕集することにより、ヒートポンプ装置６６内に異物が進入するのを防止しており、筺体４３上部の天板６２側よりフィルター部７６に溜まった異物を除去することができる。
【００２７】
ヒートポンプ装置６６は、冷媒を圧縮する圧縮機６７と、圧縮されて高温高圧となった冷媒の熱を放熱する加熱部（放熱器）６８と、高圧の冷媒の圧力を減圧するための絞り部６９と、減圧されて低圧となった冷媒によって周囲から熱を奪う除湿部（吸熱器）７０と、これら４つの部材を連結して冷媒を循環させる管路７１とを具備しており、排出された乾燥用空気は除湿部（吸熱器）７０で除湿される。除湿部（吸熱器）７０で除湿した乾燥用空気は、加熱部（放熱器）６８で加熱される。加熱された乾燥用空気は、循環風路７２の途中に配設された送風部６４から、循環風路７２を通過し、循環風路７２の端部で、回転ドラム４１の後方に開口した吹出口７３から、再び回転ドラム４１内に吹き出し、衣類の間を通って、再度排出口６５に導かれて、循環する。
【００２８】
送風部６４は、ヒートポンプ装置６６の下流に設けられ、加熱部６８で加熱された乾燥用空気を循環風路７２の下流側へと送り出すが、この送風部６４は、送風用ファン７４と送風用ファンモータ７５とを具備している。
【００２９】
図３は、本発明の実施の形態におけるドラム式洗濯乾燥機の天板６２を外した状態の要部上面図であり、図４は、導風板の概略構成を示す説明図である。
【００３０】
図３、図４において、筺体４３上部の前方側にフィルター部７６が位置し、後方側に送風部６４の送風用ファンモータ７５、ヒートポンプ装置６６の圧縮機６７が位置しており、筺体４３の背面側上部には、筺体４３の左右面に後部支持材７８が架設してある。
【００３１】
ヒートポンプ装置６６の圧縮機６７の後部外形の一部は円筒形状をしており、その円筒形状に当接（必ずしも当接していなくてもよい）して導風板７７が設けてあり、この導風板７７と送風用ファンモータ７５の間で導風板７７近傍に、冷却ファン７９が配設してある。なお、導風板７７は断面略コ字状をしており、圧縮機６７の円筒部外周面と当接することにより、導風板７７の前部開放側が圧縮機６７の円筒部外周面でふさがれて、左右に開放する略箱形状の空間部８６が形成される。
【００３２】
導風板７７には、冷却ファン７９と反対側に筺体側開口部８０が形成してあり、この筺体側開口部８０と対向して、後部支持材７８に複数の穴を有する支持材開口部８１が形成してある。また、導風板７７の冷却ファン７９側には、ファン側開口部（送風用ファンモータ側開口部）８２が形成されており、そのファン側開口部８２近傍に、前述のように冷却ファン７９が配設してある。そして、導風板７７の略中央部には、圧縮機６７と当接して、断面略円弧状の中央リブ８３が、ファン側開口部８２に対して凸面と成るよう形成されており、この中央リブ８３と後部壁８４との間に空間部８６がある。また、中央リブ８３の凹面側下面部は下面切欠き部８５が形成されている。
【００３３】
以上のように構成されたドラム式洗濯乾燥機について、以下、その動作、作用を説明する。
【００３４】
乾燥行程では、回転ドラム４１が回転を始め、ヒートポンプ装置６６が作動を始めると、前述のように、乾燥用空気が、ヒートポンプ装置６６から送風部６４、循環風路７２、回転ドラム４１を通って、フィルター部７６から、再度ヒートポンプ装置６６へと循環して、回転ドラム４１内の洗濯物の乾燥が進んでいく。
【００３５】
この時、筺体４３上部内方の後方側に配置した冷却ファン７９も作動を始める。冷却ファン７９が作動を始めると、筺体４３上部空間部の空気が冷却ファン７９へ引っ張られる。そして、筺体４３下部の床面との隙間や各隙間からも空気が流入し、冷却ファン７９に向かっての風の流れが出来る。
【００３６】
この風の流れを、図３、図４にて実線矢印で示すが、送風用ファンモータ７５やヒートポンプ装置６６などに接触しながら冷却ファン７９に流れてきた風は、導風板７７のファン側開口部８２から、導風板７７と圧縮機６７円筒部外周面とで形成された略箱形状の空間部８６に入り、断面略円弧状の中央リブ８３と後部壁８４との間の空間部を通って、筺体側開口部８０から、後部支持材７８の支持材開口部８１を通り、外部へ出ていく。乾燥行程中、この風の流れが継続することにより、送風用ファンモータ７５や圧縮機６７が冷却され、温度上昇が抑制されて、その機能を十分に効率良く発揮することができる。
【００３７】
また、ドラム式洗濯乾燥機を設置する環境によっては、外方から後部支持材７８の支持材開口部８１を通って、内部に水が侵入しようとすることも考えられるが、侵入水は導風板７７の中央リブ８３の凹面側で止められ、中央リブ８３凹面側根元に形成した下面切欠き部８５から下方へ落下して、電装部品などへの影響を防止することができる。
【００３８】
以上のように、本実施の形態においては、冷却ファン、導風板、後部支持材などの配設、構成により、上部内方において、外部へ出ていく空気の流れを形成するので、送風用ファンモータや圧縮機などの電装部品を冷却して、温度上昇を抑制し、その機能を十分に効率良く発揮することができる。
【００３９】
また、導風板の形状により、外部からの水が内部へ侵入するのを遮って、電装部品などへの影響を防止することができる。
【産業上の利用可能性】
【００４０】
以上のように、本発明にかかるドラム式洗濯乾燥機は、冷却ファン、導風板、後部支持材などの配設、構成により、電装部品を冷却して、温度上昇を抑制し、その機能を十分に効率良く発揮させることが可能となるので、その他の家電製品の用途に適用できる。
【符号の説明】
【００４１】
４１  回転ドラム
４３  筺体
４４  水槽
４９  モータ
６２  天板
６３  制御装置
６６  ヒートポンプ装置
６７  圧縮機
７５  送風用ファンモータ
７７  導風板
７８  後部支持材
７９  冷却ファン
８０  筺体側開口部
８１  支持材開口部
８２  ファン側開口部（送風用ファンモータ側開口部）
８３  中央リブ
８５  下面切欠き部
８６  空間部
【図１】
0005556578.tif 000002
【図２】
0005556578.tif 000003
【図３】
0005556578.tif 000004
【図４】
0005556578.tif 000005
【図５】
0005556578.tif 000006